(57)【特許請求の範囲】
【請求項１】
両面画像の通信機能を有する通信端末装置において、
各通信の通信管理記録を記憶するメモリと、両面画像の通信手順による通信の通信管理記録として、両面画像の通信手順で通信したことを示す情報を該メモリに記憶する記憶手段とを備え、
前記記憶手段は、両面画像の通信手順による通信が連続モードであるか交互モードであるかを示す情報を前記メモリに記憶すべくなしたことを特徴とする通信端末装置。
【請求項２】
前記記憶手段は、通信した両面画像のページ数及び原稿の枚数を前記メモリに記憶すべくなしたことを特徴とする請求項１記載の通信端末装置。
【請求項３】
前記通信管理記録の情報の少なくとも一部を報知する手段をさらに備えたことを特徴とする請求項１又は２記載の通信端末装置。
【発明の詳細な説明】
【０００１】
【発明の属する技術分野】
本発明は、ITU(国際電気通信連合)-T 勧告で規定されているファクシミリ通信手順による両面画像の通信機能を有する通信端末装置に関する。
【０００２】
【従来の技術】
両面画像の通信機能を有するファクシミリ装置では、送信時、相手装置に発呼して相手装置から応答送信されてきた DIS（ディジタル識別信号）によって相手装置が両面画像の通信機能を有するか否かを判定する。相手装置に両面画像の通信機能が無い場合は両面画像を従来のファクシミリ手順で片面送信する。
【０００３】
相手装置に両面画像の通信機能が有る場合、送信側の装置は原稿から読み取った両面画像を交互モード（表・裏・表・裏・・と両面を交互に送信する通信モード）、又は連続モード（表面だけを連続して送信した後、裏面だけを連続して送信する通信モード）で相手装置へ両面送信する。
【０００４】
また受信時には、発呼された相手装置へ送信した DIS（両面原稿の通信機能有りの宣言を含む）に対して相手装置から送信されてきた DCS（ディジタル命令信号：片面受信又は両面受信の指定を含む）の指定に応じて、片面指定の場合は受信した画データを順次記録紙の片面にプリントするか、又は全てのデータを一旦メモリに蓄積し、全てのページが揃ってから記録紙の片面にプリントする。
【０００５】
両面指定の場合、交互モードであれば、受信した画データを順次、記録紙の両面にプリントしたり、又は全ての画データを一旦メモリに蓄積し、原稿の全てのページが揃ってから記録紙の両面にプリントする。また連続モードであれば一旦メモリに記録し、原稿の全てのページが揃ってから記録紙の両面にプリントする。
【０００６】
通信端末装置では、通信管理記録（ジャーナル）として、送受信した相手先の電話番号、画像のページ数、通信の状況、日時等を記録しておく。送信時にユーザが送信証のプリントを要求すると、これらの通信管理記録から必要な情報がプリントされる。また受信時に送信元から受領証の送信が要求されると、同様に通信管理記録から必要な情報を抽出して送信元へ送信する。
【０００７】
【発明が解決しようとする課題】
しかし、両面画像の通信では、前述のように、相手装置に両面画像の通信機能が有るか無いかによって両面送信になったり片面送信になったりするが、通信管理記録の情報からだけでは、いずれの手順で送信したかが不明である。
【０００８】
従って、例えば送信途中で通信障害により回線が切断されたときに、相手先から「○○ページ目から再送してください」と残りの原稿の再送を要求してきた場合、又は相手先へ残りの原稿の再送を要求する場合、両面送信であったのか片面送信であったのか、更に両面送信が連続モードであったのか交互モードであったのかが不明であると、受信側と送信側とで再送すべきページの認識にずれが生じる可能性があり、ページの認識にずれがあると、必要な画データが再送されないという不具合が起こる。
【０００９】
本発明はこのような問題点を解決するためになされたものであって、両面画像の通信時に、通信手順が両面送信であったか片面送信であったか、両面送信の場合は連続モードであったか交互モードであったか、送信した画像のページ数及び元の原稿の枚数等を、送信側の装置、受信側の装置が通信管理記録として記録し、又はこれらの通信管理記録の情報の一部又は全部をランプの点灯、メッセージ等で報知することにより、両面画像の通信手順で通信したのか否か、また両面通信の場合の通信モードを容易に認識することができる通信端末装置の提供を目的とする。
【００１０】
【課題を解決するための手段】
第１発明の通信端末装置は、両面画像の通信機能を有する通信端末装置において、各通信の通信管理記録を記憶するメモリと、両面画像の通信手順による通信の通信管理記録として、両面画像の通信手順で通信したことを示す情報を該メモリに記憶する記憶手段とを備え、前記記憶手段は、両面画像の通信手順による通信が連続モードであるか交互モードであるかを示す情報を前記メモリに記憶すべくなしたことを特徴とする。
【００１１】
第１発明では、両面画像の通信手順による通信の通信管理記録として、両面画像の通信手順で通信したことを示す情報を、送信側の装置及び／又は受信側の装置のメモリに記憶する。
【００１２】
これにより、例えば送信証をプリントする等して、両面画像の通信手順であったか否かを容易に認識できる。
また、第１発明では、両面画像の通信手順による通信が連続モードであるか交互モードであるかを示す情報を通信管理記録として記憶する。
これにより、例えば送信途中で通信障害により回線が切断されたときに、受信側から送信側へ再送すべきページが正しく伝達される。
【００１３】
第２発明の通信端末装置は、第１発明の前記記憶手段が、通信した両面画像のページ数及び原稿の枚数を前記メモリに記憶すべくなしたことを特徴とする。
【００１４】
第２発明では、両面画像の通信機能を有する通信端末装置では、両面原稿を両面送信、両面原稿を片面送信、片面原稿を両面送信する複数のパターンが可能であるので、通信した両面画像のページ数及び原稿の枚数を通信管理記録として記憶する。
【００１５】
これにより、例えば送信証をプリントする等して、通信した両面画像のページ数及び元の原稿の枚数を容易に認識できる。
【００１９】
第３発明の通信端末装置は、第１又は第２発明に加えて、前記通信管理記録の情報の少なくとも一部を報知する手段をさらに備えたことを特徴とする。
【００２０】
第３発明では、これらの通信管理記録の情報の一部又は全部をランプの点灯、メッセージ等で報知する。
【００２１】
これにより、送信証をプリントしなくても、両面画像の通信手順であるか否か、送信した画像のページ数及び元の原稿の枚数、両面通信の場合は連続モードか交互モードか等を直ちに知ることができる。
【００２２】
【発明の実施の形態】
図１は本発明に係るファクシミリ装置の構成を示すブロック図である。
主制御部１は、バスを通じてファクシミリ装置のハードウェア各部を制御するだけではなく、ROM ６に記憶されたソフトウェアに基づいて、原稿の画データをMH, MR, MMR 等の符号化方式によって符号化または復号化する符号化・復号化、モデム切り換え，ATコマンドによるRS232Cの制御などを含む通信手順等のソフトウェアを実行する。
【００２３】
また主制御部１は、各通信が、両面通信の手順であったか否か、画像のページ数、元の原稿の枚数、相手先番号、日時、通信結果の良否、元の原稿が両面原稿か片面原稿か、両面通信の場合は連続モードか交互モードか、通信エラーが発生した場合のエラーコードNo. 等を、後述するRAM ７の所定領域（通信管理メモリという）に通信管理記録として記憶する。
【００２４】
また主制御部１は、上述の通信管理記録の一部又は全部を、後述する両面 LEDの点灯、後述する表示部４への表示等で報知する。
【００２５】
読取部２は、CCD 等で原稿を読み取り、白黒２値の原稿の画データを出力する。記録部３は電子写真方式などのプリンタを備え、受信した原稿の画データを記録する。
表示部４は、液晶表示装置などを備え、ファクシミリ装置の動作状態や原稿の画データの表示を行う。
【００２６】
操作部５は、ファクシミリ装置を操作するのに必要なテンキー、短縮ダイヤルキー、ワンタッチダイヤルキー、各種のファンクションキーなどを備えている。本例では、両面画像の送信を指定するキーが設けられている。
表示部４及び操作部５が設けられている操作パネルには、通信が両面画像の通信手順であるか否かをそのオン／オフで報知する両面 LEDが設けられている。
【００２７】
ROM ６は、ファクシミリ装置の動作に必要なソフトウェアを記憶する。RAM ７は、SRAMまたはフラッシュメモリ等で構成され、ソフトウェアの実行時に発生する一時的なデータを記憶する。画像メモリ８はDRAM等で構成され、原稿の画データを記憶する。
【００２８】
モデム９はバスに接続されており、読取部２が読み取った原稿の画データをファクシミリ送信し、また他のファクシミリ装置から送信されてきたファクシミリデータを受信するための通常のFAX モデムとしての機能を有するほか、インターネット通信が可能なデータ通信用のモデムとしても機能する。また、モデム９は、同様にバスに接続された NCU 11 と接続されている。 NCU 11 はアナログ回線の閉結、開放を行い、必要に応じてモデム９をアナログ回線と接続する。
また、DSU （ディジタル回線接続装置：図示省略）によりディジタル回線と接続してG4ファクシミリ通信をすることも可能である。
【００２９】
次に、本発明に係るファクシミリ装置の両面送信時の動作を、図２のフローチャート、並びに図３の送信証のプリントアウト例及びエラーメッセージの画面表示例の図に基づいて説明する。
ユーザが原稿を原稿台にセットして相手先及び両面送信を指定すると（ステップS2-1）、操作パネルの両面 LEDをオンにして（ステップS2-2）、相手先に発呼し（ステップS2-3）、相手先からのディジタル識別信号 DISを検出する（ステップS2-4）。
【００３０】
DISから、相手先が両面通信機能を有するか否かを判定し（ステップS2-5）、両面通信機能を有する相手先の場合は、原稿台の原稿を読み取って表面・裏面の情報を付加した両面画像を両面手順で、更にユーザが設定したか又はデフォルトで設定されている通信モード（連続モード又は交互モード）で送信し（ステップS2-6）、送信が終了するか又は通信障害が発生すると回線を開放する（ステップS2-7）。
【００３１】
両面手順における回線開放後、「送信手順（両面）」「ページ数」「原稿枚数」「相手先電話番号」「日時」「送信結果（OK/NG)」「オリジナル原稿の画像種別（両面／片面）」「通信モード（連続／交互）」を通信管理記録として通信管理メモリに格納する（ステップS2-8）。
【００３２】
一方、ステップS2-5の判定の結果、両面通信機能を持たない相手先の場合は、操作パネルの両面 LEDをオフにし（ステップS2-9）、原稿台の原稿を読み取って表面・裏面の情報を付加した両面画像を片面手順で送信し（ステップS2-10)、送信が終了するか又は通信障害が発生すると回線を開放する（ステップS2-11)。
【００３３】
片面手順における回線開放後、「送信手順（片面）」「ページ数」「原稿枚数」「相手先電話番号」「日時」「送信結果（OK/NG)」「オリジナル原稿の画像種別（両面／片面）」を通信管理記録として通信管理メモリに格納する（ステップS2-12)。
【００３４】
両面手順又は片面手順での通信管理記録を通信管理メモリに格納した後、送信エラーが発生したか否かを判定する（ステップS2-13)。送信エラーが発生していない場合は、送信証のプリントアウトが設定されているか否かを判定し（ステップS2-14)、設定されていない場合は処理を終了するが、設定されている場合は図３(a) に示すような送信証をプリントアウトする（ステップS2-15)。
【００３５】
一方、ステップS2-13 の判定の結果、エラーが発生していた場合は、図３(b) に示すようなエラーメッセージを表示し（ステップS2-16)、処理を終了する。
【００３６】
次に、本発明に係るファクシミリ装置の受信時の動作を図４のフローチャートに基づいて説明する。
まず操作パネルの両面 LEDをオフにし（ステップS4-1）、相手先が着呼すると（ステップS4-2）、両面送信が可能であることの宣言を含む DISを相手先へ送信する（ステップS4-3）。次に、この DIS送信に対して相手先から送信されてきたDCS から相手先が両面手順での受信を指定しているか片面手順での受信を指定しているかを判定する（ステップS4-4）。
【００３７】
両面指定の場合は、操作パネルの両面 LEDをオンにし（ステップS4-5）、両面手順で画像を受信してメモリに格納し（ステップS4-6）、受信が終了するか又は通信障害が発生すると回線を開放する（ステップS4-7）。続いて、相手先からの「送信手順（両面）」「送信モード（連続／交互）」「ページ数」「原稿枚数」を通信管理記録として通信管理メモリに格納する（ステップS4-8）。
【００３８】
一方、相手先が片面指定の場合は、操作パネルの両面 LEDはオフのまま、片面手順で画像を受信してメモリに格納し（ステップS4-9）、受信が終了するか又は通信障害が発生すると回線を開放する（ステップS4-10)。続いて、相手先からの「送信手順（片面）」「ページ数」を通信管理記録として通信管理メモリに格納する（ステップS4-11)。
【００３９】
なお、プリントアウト、表示等で報知する通信管理記録の情報は文字列であっても、また記号を使用してもよい。
【００４０】
【発明の効果】
第１発明では、両面画像の通信手順による通信の通信管理記録として、両面画像の通信手順で通信したことを示す情報を、送信側の装置及び／又は受信側の装置のメモリに記憶するので、例えば送信証をプリントする等して、両面画像の通信手順であったか否かを容易に認識できるという優れた効果を奏する。
また、両面画像の通信手順による通信が連続モードであるか交互モードであるかを示す情報を通信管理記録として記憶するので、例えば送信途中で通信障害により回線が切断されたときに、受信側から送信側へ再送すべきページが正しく伝達されるという優れた効果を奏する。
【００４１】
第２発明では、両面原稿を両面送信、両面原稿を片面送信、片面原稿を両面送信する複数のパターンが可能であるので、通信した両面画像のページ数及び原稿の枚数を通信管理記録として記憶するので、例えば送信証をプリントする等して、通信した両面画像のページ数及び元の原稿の枚数を容易に認識できるという優れた効果を奏する。
【００４３】
第３発明では、通信管理記録の情報の一部又は全部をランプの点灯、メッセージ等で報知するので、送信証をプリントしなくても、両面画像の通信手順であるか否か、送信した画像のページ数及び元の原稿の枚数、両面通信の場合は連続モードか交互モードか等を直ちに知ることができるという優れた効果を奏する。
【図面の簡単な説明】
【図１】本発明に係るファクシミリ装置のブロック図である。
【図２】本発明に係るファクシミリ装置の両面送信時の動作のフローチャートである。
【図３】送信証のプリントアウト例及びエラーメッセージの画面表示例の図である。
【図４】本発明に係るファクシミリ装置の受信時の動作のフローチャートである。
【符号の説明】
１  主制御部、２  読取部、３  記録部、４  表示部、５  操作部、６  ROM ７  RAM 、８  画像メモリ、９  モデム、11  NCU 。
【図１】
0004061829.tif 000002
【図２】
0004061829.tif 000003
【図３】
0004061829.tif 000004
【図４】
0004061829.tif 000005